(57)【要約】      （修正有）【課題】連結具に指や手を挟むことによる怪我を防止するすることのできる着座具を提供する。【解決手段】背部４bと背凭れ２の間と、背部と肘掛けの間の双方又は一方にカバー６を設け、前方に傾倒させた背凭れの背面側に露出する連結具５又は前方に傾倒させた肘掛けの背面側に露出する連結具の上に被さって当該連結具を覆うことができるようにした。カバーはストッパー付きのものでもよい。前記背部と背凭れの間と、前記背部と肘掛けの間の双方又は一方にストッパーを設け、背凭れ又は肘掛けの引き起こしを防止できるようにしてもよい。この場合、ストッパーは連結具を覆うカバーと兼用とすることもできる。連結具は背凭れ又は肘掛けの横幅方向中央寄りの箇所に設けることができる。背凭れ、肘掛けは、背面にテーブル板３を備えたものでもよい。【選択図】図１
2017047114.tif 000002
【特許請求の範囲】
【請求項１】
座部及び背部を有する着座具本体を備え、当該背部の前面に連結具により前方に傾倒可能・後方に引き起こし可能に連結された背凭れと、前方に傾倒可能・後方に引き起こし可能に連結された肘掛けの双方又はいずれか一方を備えた着座具において、
前記背部と背凭れの間と、前記背部と肘掛けの間の双方又は一方にカバーを設け、
前記カバーは前方に傾倒した背凭れの背面側に露出する連結具又は前方に傾倒した肘掛けの背面側に露出する連結具の上に被さって当該連結具を覆うことができるものである、
ことを特徴とする着座具。
【請求項２】
請求項１記載の着座具において、
前方に傾倒させた背凭れ又は肘掛けに係止して、それら背凭れ又は肘掛けの引き起こしを防止できるようにロックすることができ、前記係止を解除するとロックが解除されるストッパーをも備え、そのストッパーがカバーと別体であるか又はカバーに取り付けられてストッパー付カバーとしたものである、
ことを特徴とする着座具。
【請求項３】
座部及び背部を有する着座具本体を備え、当該背部の前面に連結具により前方に傾倒可能・後方に引き起こし可能に連結された背凭れと、前方に傾倒可能・後方に引き起こし可能に連結された肘掛けの双方又はいずれか一方を備えた着座具において、
前記背部と背凭れの間と、前記背部と肘掛けの間の双方又は一方にストッパーを設け、
前記ストッパーは前方に傾倒した背凭れ又は肘掛けに係止して、それら背凭れ又は肘掛けの引き起こしを防止できるようにロックでき、前記係止を解除するとロックが解除されるものである、
ことを特徴とする着座具。
【請求項４】
請求項３記載の着座具において、
ストッパーが、前方に傾倒させた背凭れの背面側に露出する連結具又は前方に傾倒させた肘掛けの背面側に露出する連結具の上に被さって当該連結具を覆うことができるカバーと兼用である、
ことを特徴とする着座具。
【請求項５】
請求項１から請求項４のいずれか１項に記載の着座具において、
連結具が背凭れ又は肘掛けの横幅方向中央寄りの箇所に設けられた、
ことを特徴とする着座具。
【請求項６】
請求項１から請求項５のいずれか１項に記載の着座具において、
背凭れ、肘掛けは、背凭れ又は肘掛けの背面にテーブル板を備えたものである、
ことを特徴とする着座具。
【発明の詳細な説明】
【技術分野】
【０００１】
本発明は、ソファや椅子などの着座具に関し、前方に傾倒、後方に引き起こし可能な背凭れと肘掛けの双方又はいずれか一方を備えた着座具に関する。
【背景技術】
【０００２】
従来、着座具として、前方に傾倒、後方に引き起こし可能な背凭れを備えたソファ（図８）が知られている。図８において、Ａはソファ本体であり、座部Ｂと背部Ｃを備えている。Ｄは背凭れであり、ソファ本体Ａの背部Ｃの前面に配置されている。背凭れＤは前方に傾倒させたり、後方に引き起こしたりすることができるように、連結具Ｅでソファ本体Ａの背部Ｃに固定され、背凭れＤを前方に傾倒させることで、背凭れＤの背面に設けられたテーブル板Ｆをテーブルとして利用することができる。図８の連結具Ｅは説明の便宜上、実線で表示してあるため、背凭れＤの外に出ているように見えるが、実際は背凭れＤに内蔵されている。
【０００３】
図８に示す着座具は単独で使用されることもあるが、二人掛けソファの間に組み込まれたり、独立した二つのソファの間に配置されたりして使用されることもある。図８に示すほか、着座具として、背凭れの背面に設けられた板をテーブルとして利用可能な二人掛けのソファ（特許文献１）などが知られている。なお、図８はテーブル板Ｆが背凭れＤの背面に取り付けられている場合であるが、テーブル板Ｆはソファの肘掛けの背面に取り付けられている場合もある。
【先行技術文献】
【特許文献】
【０００４】
【特許文献１】特開２００３−０６１７８０号公報
【発明の概要】
【発明が解決しようとする課題】
【０００５】
図８に示す従来のソファは、連結具Ｅが背凭れＤの横幅方向両外側寄りの箇所に設けられているため、背凭れＤを前方に傾倒させたり、後方に引き起こしたりする際に指や手が触れやすい。また、連結具Ｅが、背凭れＤを傾倒させたり引き起こしたりする際に側面視Ｘ字状になる構造であるため、背凭れＤの傾倒時や引き起こし時に、指や手が連結具Ｅに挟まれて怪我をすることがあった。
【０００６】
本発明の解決課題は、連結具に指や手が触れたり挟まれたりしにくく、怪我を防止することのできる着座具を提供することにある。
【課題を解決するための手段】
【０００７】
本発明の着座具は、座部及び背部を有する着座具本体を備え、当該背部の前面に連結具により前方に傾倒可能・後方に引き起こし可能に連結された背凭れと、前方に傾倒可能・後方に引き起こし可能に連結された肘掛けの双方又はいずれか一方を備えた着座具において、前記背部と背凭れの間と、前記背部と肘掛けの間の双方又は一方にカバーを設け、前記カバーは前方に傾倒した背凭れの背面側に露出する連結具又は前方に傾倒した肘掛けの背面側に露出する連結具の上に被さって当該連結具を覆うことができるものである。
【０００８】
前記着座具において、前方に傾倒させた背凭れ又は肘掛けに係止して、それら背凭れ又は肘掛けの引き起こしを防止できるようにロックすることができ、前記係止を解除するとロックが解除されるストッパーをも備え、そのストッパーがカバーと別体であるか又はカバーに取り付けられたストッパー付カバーとすることもできる。
【０００９】
本発明の着座具は、座部及び背部を有する着座具本体を備え、当該背部の前面に連結具により前方に傾倒可能・後方に引き起こし可能に連結された背凭れと、前方に傾倒可能・後方に引き起こし可能に連結された肘掛けの双方又はいずれか一方を備えた着座具において、前記背部と背凭れの間と、前記背部と肘掛けの間の双方又は一方にストッパーを設け、前記ストッパーは前方に傾倒した背凭れ又は肘掛けに係止して、それら背凭れ又は肘掛けの引き起こしを防止できるようにロックでき、前記係止を解除するとロックが解除されるものとすることもできる。
【００１０】
前記着座具において、ストッパーが、前方に傾倒させた背凭れの背面側に露出する連結具又は前方に傾倒させた肘掛けの背面側に露出する連結具の上に被さって当該連結具を覆うことができるカバーと兼用とすることもできる。
【００１１】
前記いずれかの着座具において、連結具は、背凭れ又は肘掛けの横幅方向中央寄りの箇所に設けることができる。
【００１２】
前記いずれかの着座具において、背凭れ、肘掛けは、背凭れ又は肘掛けの背面にテーブル板を備えたものとすることもできる。
【発明の効果】
【００１３】
本発明の着座具は次の効果を奏する。
（１）前方に傾倒させた背凭れ又は肘掛けの背面に露出する連結具を、カバーで覆うことができるため、連結具に指や手を挟みにくく、怪我を防止することができる。
（２）ストッパー付カバーの場合は、ストッパーを操作してストッパーの係止を解除しなければ、背凭れ又は肘掛けを引き起こすことができないので、連結具が不用意に回動することがなく、連結具に指や手を挟みにくく、怪我を防止することができる。
（３）連結具を背凭れ又は肘掛けの横幅方向両端よりも内側であって、使用者の手が届かない箇所又は届きにくい箇所に設けた場合は、カバーの下に指や手を差込んでも指や手が連結具に届きにくくなり、連結具に挟まれて怪我をすることが少なくなる。
【図面の簡単な説明】
【００１４】
【図１】本発明の着座具（テーブル付き背凭れを備えたソファー）の一例を示すものであって、（ａ）は背凭れを引き起こした状態の説明図、（ｂ）は背凭れを前方に傾倒させてテーブルを上面側に出した状態の説明図。
【図２】（ａ）は着座具本体（ソファ本体）の背部前面に設けたストッパー付カバーを引き起こした状態の説明図、（ｂ）はストッパー付カバーを背凭れの背面側に被せて連結具を被覆し、ストッパーを背凭れの係止部に係止した（背凭れがロックされた）状態の説明図。
【図３】本発明の着座具における連結具の一例を示すものであって、（ａ）は背凭れを引き起こした状態の説明図、（ｂ）は背凭れを前方に傾倒させた状態の説明図。
【図４】（ａ）本発明の着座具における連結具の取付け箇所の説明図（連結具はクッションに内蔵されているため仮想線で示されるが、説明の便宜上、実線で示してある）、（ｂ）は（ａ）の正面図。
【図５】（ａ）〜（ｃ）は引き起こしてある背凭れを前方に傾倒させて背凭れロックがかかるまでの背凭れの動作説明図。
【図６】背凭れにロックがかかった状態の着座具の説明図。
【図７】（ａ）〜（ｃ）は背凭れのロックを解除して背凭れを引き起こす場合の手順説明図。
【図８】従来の着座具の連結具の構造とその取り付け位置の説明図。
【発明を実施するための形態】
【００１５】
（実施形態１）
本発明の着座具１の一例を、図面を参照して説明する。本発明の着座具には、一人掛け或いは複数人掛けのソファ、椅子、乗り物のシートなど、背凭れを前方に傾倒させたり、後方に引き起こしたりすることのできる各種着座具が含まれるが、ここでは、図１のように着座具１が、背凭れ２の背面にテーブル板３を備えたテーブル付きソファの場合を一例として説明する。
【００１６】
［着座具：ソファ］
図１（ａ）（ｂ）に示す着座具１は、背凭れ２を前方に傾倒させることのできる傾倒式のソファである。このソファは座部４ａ及び背部４ｂを有する着座具本体（ソファ本体）４と、ソファ本体４の背部４ｂの前面に配置される背凭れ２と、背凭れ２とソファ本体４を連結する左右二つの連結具５と、ストッパー付カバー６を備えている。連結具５は背凭れ２を前方（座部４ａ側）に傾倒可能であり、後方（背部４ｂ側）に引き起こし可能に連結するものである。ストッパー付カバー６は背凭れ２を前方に傾倒させたときに、背凭れ２の背面に露出する連結具５の上から背凭れ２の背面に被せて、少なくとも当該連結具５を被覆できるものである。
【００１７】
前記ソファ本体４は座部４ａと背部４ｂが一体になっている。背部４ｂは背凭れ２を支持するものである。座部４ａの後方側であって背部４ｂの手前側には、座部４ａよりも一段窪んだ凹部４ｃが設けられている。凹部４ｃは図１（ａ）のように引き起こした背凭れ２の下方部分を収容できる広さと深さにしてある。
【００１８】
［ストッパー付カバー］
図２（ａ）に示すように、背部４ｂの前面と背凭れ２の背面の間には、ストッパー付カバー６が設けられている。ストッパー付カバー６は、方形状のシート７の内面に板状のストッパー８を取り付けてある。この場合、シート７に硬質の芯材（図示せず）を設け、その芯材にストッパー８を重ねてタッカー止めして固定してある。ストッパー８はシート７よりも一回り小さいサイズの平板が適するが、板状以外の形状であってもよく、例えば、枠状、棒状といったものであってもよい。材料も木材、樹脂といった各種のものを使用することができる。シート７へのストッパー８の取り付け手段は前記以外の手段であってもよく、例えば、螺子止めや接着剤による接着、縫製による取り付け等であってもよい。
【００１９】
ストッパー付カバー６は図２（ａ）に示すように、板状のストッパー８の一辺（下辺）８ａをソファの背部４ｂの収容凹部９の下部にバネ蝶番１０により取り付けてある。バネ蝶番１０はストッパー８を常時下向きに付勢する力（図２（ａ）の矢印方向の力）が作用している。シート７の先端部７ａはどこにも取り付けることなくフリーの状態にしてある。このように取り付けたストッパー付カバー６は、図１（ｂ）のように背凭れ２を前方（座部４ａ側）に傾倒させると、前記バネ蝶番１０の付勢力で図２（ｂ）のように背凭れ２の背面側に自動的に前傾し、背凭れ２の背面に露出する連結具５の上から背凭れ２の背面に被さって当該露出部分を被覆することができる。このとき、図２（ｂ）のように、ストッパー８が背凭れ２の係止部２ａに係止する。具体的には、ストッパー８の先端面８ｂ（図２（ａ））が背凭れ２の底面（係止部２ａ：図２（ａ））に、図２（ｂ）のように突き当たって係止する。この係止により、背凭れ２がロックされ、背部４ｂ側へ引き起こせなくなる（図２（ｂ）の状態に維持される）。
【００２０】
前記ロック状態（図２（ｂ）の状態）から、背凭れ２を図１（ａ）のように後方に引き起こすには、ストッパー付カバー６のシート７を持ち上げて、ストッパー８による前記ロックを解除してから背凭れ２を引き起こす。これにより、ストッパー付カバー６が背凭れ２の背面で押されて収容凹部９の前面に立ち上がり、収容凹部９内でその前面と背凭れ２の背面の間に挟まれて固定され、図１（ａ）の状態に維持される。
【００２１】
本発明におけるストッパー付カバー６は、シート７を袋状にし、その内部にストッパー８を内蔵したものとか、シート７を樹脂製にし、その一部を硬くしてストッパー８としたもの、その他の構成のものであってもよい。
【００２２】
［背凭れ］
前記背凭れ２の背面には二本の溝１３（図２（ａ））が開口されている。この溝１３は背凭れ２を図１（ａ）のように引き起こしたときに、連結具５（図２（ａ））を収容できるものである。背凭れ２の背面には平板状のテーブル板３が取り付けられている。このテーブル板３は背凭れ２を図１（ｂ）のように前方に傾倒させて水平又は略水平にすることによってテーブルとして利用することができる。この背凭れ２はその横幅方向に間隔をあけて配置された二つの連結具５（図１（ｂ）、図２（ａ））により背部４ｂに連結されている。
【００２３】
［連結具］
図３（ａ）（ｂ）に示す連結具５は、細長板状のブラケット５ａと、当該ブラケット５ａの長手方向両端に回動自在に設けられた二本のリンク材５ｂ、５ｃと、当該両リンク材５ｂ、５ｃの先端側に回動自在に設けられたＬ字状の取付け部５ｄを備え、ブラケット５ａがソファ本体４の背部４ｂに固定され、取付け部５ｄが背凭れ２（背板１２の下部１２ａ：図１（ｂ））に固定されている。
【００２４】
前記取付け部５ｄは図３（ａ）の矢印Ｘ方向に回転可能であり、背凭れ２を前方に傾倒させると同方向に回転するようにしてある。例えば、背凭れ２を前方に９０度程度傾倒させると、取付け部５ｄが同方向に９０度程度回転し、テーブル板３が水平又は略水平になる。この連結具５は傾倒動作時にリンク材５ｂ、５ｃ同士が交差することがないため、リンク材５ｂ、５ｃ同士の間に指や手を挟んで怪我をするおそれがなく安全である。
【００２５】
二つの連結具５は、図４（ａ）（ｂ）に示すように、従来の連結具取り付け位置（図８の取り付け位置）よりも、背凭れ２の横幅方向内側、具体的には背部４ｂの幅方向両端部よりも５０〜２００ｍｍ程度内側に設けて、図４（ｂ）のように、背凭れ２の背面から前面に腕を回しても、指や手が連結具５に届かない或いは届きにくくなるようにしてある。この取り付け位置は背凭れ２の横幅寸法に応じて変えることができる。
【００２６】
（実施形態２）
前記実施形態は、ストッパー付カバー６の場合であるが、本発明ではシート７とストッパー８を別々にすることもできる。この場合は、シート７をストッパー付カバー６のシート７と同様の形状、サイズ、材質、動き等を備えた構成にし、ストッパー８をストッパー付カバー６のストッパー８と同様の形状、サイズ、材質、動き等を備えた構成とする。
【００２７】
（実施形態３）
本発明ではシート７を使用せずにストッパー８のみとし、そのストッパー８をカバーと兼用（カバー兼用ストッパー）とすることもできる。この場合は、ストッパー８をストッパー付カバー６のシート７及びストッパー８の双方と同様の形状、サイズ、材質、動き等を備えた構成とする。具体的には、ストッパー８を、前方に傾倒させた背凭れ２の背面側に露出する連結具５を覆うことができるサイズ、構造にし、当該ストッパー８を前記係止部２ａ（図２（ａ））に係止することによって、背凭れ２にロックが掛るようにすることができる。この場合、ストッパー８を持ち上げて係止部２ａへのストッパー８の係止を解除することによって、背凭れ２を背部４ｂ側へ引き起こすことができる。
【００２８】
前記実施形態は、背凭れ２が前方に傾倒、後方に引き起こし可能な場合であるが、本発明は、肘掛けを備え、肘掛けが連結具５で前方に傾倒、後方に引き起こし可能な着座具の場合は、その肘掛けと背部４ｂの間に、前記と同様のストッパー付カバー６を設けたり、カバー兼用ストッパーを設けたり、カバーとストッパーを別々に設けたりすることもできる。これらの場合、前記実施形態と共通する構成に関しては、その実施形態と同じ構成にすることができる。
【００２９】
（その他の実施形態）
前記実施形態は、一人掛けソファの場合を一例としているが、ソファは複数の座部４ａと複数の背凭れ２を備えた複数人掛けであってもよい。また、複数の背凭れ２と肘掛けを備えたソファ、その他の着座具であってもよい。この場合はいずれか一又は二以上の背凭れ２又は肘掛けを、連結具５によって前方に傾倒可能、後方に引き起こし可能とし、それら連結具５を被覆できるストッパー付カバー６、又はカバー兼用ストッパーを設けるとか、カバーとストッパーを別々に設けたりすることができる。前記実施形態では、ストッパー付カバー６を背部４ｂ側に設け、係止部２ａを背凭れ２側に設ける場合を一例としているが、前記いずれの場合も、これとは逆に、ストッパー付カバー６を背凭れ２側に、係止部２ａを背部４ｂ側に設けることもできる。
【００３０】
（作用）
本発明の着座具１の作用について説明する。図５（ａ）は背凭れ２を背部４ｂの前方に引き起こした状態を示すものである。図５（ａ）の引き起こし状態から図５（ｂ）のように背凭れ２を前方に傾倒させると、背凭れ２の背面側に設けられたストッパー付カバー６のストッパー８がバネ蝶番１０の作用で前傾し、これに伴いシート７が前傾する。この状態から更に図５（ｃ）のように背凭れ２の前面が座部４ｂの表面に接触する位置（水平位置）まで傾倒させると、ストッパー８の先端面８ｂが背凭れ２の背面の係止部２ａに係止して背凭れ２にロックが掛り、カバー７が連結具５の上に被さる。この状態では、図６のように背凭れ２を引き起こそうとしても、背部４ｂと背凭れ２の間にストッパー８があるため引き起こすことができない（ロックが掛かる）。背凭れ２を引き起こすには、図７（ａ）に示すようにストッパー付カバー６のシート７を持ち上げて係止部２ｂへのストッパー８の係止を解除し、図７（ｂ）（ｃ）のようにストッパー付カバー６を持ち上げたままゆっくりと背凭れ２を引き起こせばよい。
【産業上の利用可能性】
【００３１】
本発明の着座具は、ソファのほか、傾倒可能な背凭れを備えた各種着座具の背凭れ、肘掛け等にも利用することができる。
【符号の説明】
【００３２】
１      着座具
２      背凭れ
２ａ    係止部
３      テーブル板
４      着座具本体（ソファ本体）
４ａ    座部
４ｂ    背部
４ｃ    凹部
５      連結具
５ａ    ブラケット
５ｂ    リンク材
５ｃ    リンク材
５ｄ    取付け部
６      ストッパー付カバー
７      シート
７ａ    （シートの）先端部
８      ストッパー
８ａ    （ストッパーの）下辺
８ｂ    （ストッパーの）先端面
９      収容凹部
１０    バネ蝶番
１２    背板
１２ａ  背板下部
１３    溝
Ａ      ソファ本体
Ｂ      座部
Ｃ      背部
Ｄ      背凭れ
Ｅ      連結具
Ｆ      テーブル板
【図１】
2017047114.tif 000003
【図２】
2017047114.tif 000004
【図３】
2017047114.tif 000005
【図４】
2017047114.tif 000006
【図５】
2017047114.tif 000007
【図６】
2017047114.tif 000008
【図７】
2017047114.tif 000009
【図８】
2017047114.tif 000010